(57)【要約】【課題】レシピエントへの臓器の移植時に、臓器の温度上昇をより抑制でき、かつ、執刀者の作業の妨げにもなりにくい医療器具および移植方法を提供する。【解決手段】この臓器収容袋１は、臓器９を保持する袋状の断熱シート１０を備える。断熱シート１０は、一対の防水層と、前記一対の防水層の間に位置する断熱層と、を有する。臓器９の移植手術の際には、レシピエントの体腔内に、臓器収容袋１に収容された状態で臓器９を配置する。これにより、レシピエントの体温や外気温により臓器９の温度が上昇することを抑制しつつ、血管の吻合を行うことができる。その結果、臓器９が温虚血状態となることを抑制して、手術後における障害の発生を抑制できる。また、断熱シートは袋状とされているため、断熱シートの端部が、執刀者の作業の妨げとなりにくい。【選択図】図１
2020044287.tif 000002
【特許請求の範囲】
【請求項１】
臓器を収容する臓器収容袋であって、
臓器が通過可能な開口部と、
前記開口部を介して挿入された臓器を保持する袋状の断熱シートと、
を備え、
前記断熱シートは、
一対の防水層と、
前記一対の防水層の間に位置する断熱層と、
を有する、臓器収容袋。
【請求項２】
請求項１に記載の臓器収容袋であって、
前記開口部を少なくとも部分的に開閉する開閉部材
をさらに備える、臓器収容袋。
【請求項３】
請求項２に記載の臓器収容袋であって、
前記開閉部材は、前記開口部を収縮させる操作紐である、臓器収容袋。
【請求項４】
請求項２に記載の臓器収容袋であって、
前記開閉部材は、前記開口部に設けられた伸縮可能な弾性部材である、臓器収容袋。
【請求項５】
請求項２に記載の臓器収容袋であって、
前記開閉部材は、互いに固定および離間が可能な一対の留め具を有する、臓器収容袋。
【請求項６】
請求項１から請求項５までのいずれか１項に記載の臓器収容袋であって、
前記断熱層は、発泡ポリエチレン、発泡ポリスチレン、軟質ウレタンフォーム、ポリスチレン、または不織布からなり、
前記防水層は、ポリフッ化ビニリデン、シリコン樹脂、ポリウレタン、フッ素樹脂、フッ素ゴム、ウレタンゴム、塩化ビニル、ナイロン、ポリエチレン、またはポリウレタンエラストマーからなる、臓器収容袋。
【請求項７】
請求項１から請求項６までのいずれか１項に記載の臓器収容袋であって、
前記断熱シートの内側に設けられた防水性の内袋
をさらに備える、臓器収容袋。
【請求項８】
請求項１から請求項６までのいずれか１項に記載の臓器収容袋であって、
前記断熱シートの外側に設けられた防水性の外袋
をさらに備える、臓器収容袋。
【請求項９】
非ヒト動物であるドナーから摘出された臓器を、非ヒト動物であるレシピエントへ移植する移植方法であって、
ａ）袋状の断熱シートを有する臓器収容袋に前記臓器を収容する工程と、
ｂ）前記工程ａ）の後に、前記臓器が収容された前記臓器収容袋を、前記レシピエントの体腔内に配置する工程と、
ｃ）前記工程ｂ）の後に、前記レシピエントの血管と、前記臓器の血管とを吻合する工程と、
ｄ）前記工程ｃ）の後に、前記臓器収容袋から前記臓器を取り出して、前記臓器収容袋を除去する工程と、
を有する、移植方法。
【請求項１０】
請求項９に記載の移植方法であって、
前記断熱シートは、
一対の防水層と、
前記一対の防水層の間に位置する断熱層と、
を有する、移植方法。
【発明の詳細な説明】
【技術分野】
【０００１】
本発明は、臓器を収容する臓器収容袋と、臓器を移植する移植方法とに関する。
【背景技術】
【０００２】
臓器の移植手術では、ドナーから摘出された臓器を、冷却した状態で保存する。これは、常温のまま血流が途絶える、いわゆる温虚血状態になると、臓器内の代謝によって、臓器の劣化が生じやすくなるためである。具体的には、摘出された臓器に対して低温の保存液を注入する、あるいは、臓器の周囲にアイス・スラッシュを投入した生理食塩水を直接ふりかける等の処置により、臓器の温度を低温に維持する。これにより、臓器の代謝を抑制する。
【０００３】
しかしながら、レシピエントへの臓器の移植時には、レシピエントの体腔内に臓器を配置して、血管吻合等の処置を行う。このとき、臓器の冷却を継続できないので、レシピエントの体温や外気温によって臓器の温度が上昇し、臓器が徐々に温虚血状態となる。このため、移植手術の執刀者は、可能な限り短時間で血管吻合等の処置を行うか、あるいは、腹腔内に氷等を入れることにより、移植される臓器を低温状態に維持しなければならなかった。後者の場合、臓器だけでなく、執刀者の手先も同時に冷却されることとなり、精密さを求められる血管吻合において不利となる。
【０００４】
そこで、本願の発明者は、特許文献１において、レシピエントへの臓器の移植時に、レシピエントと臓器との間に、断熱機能をもつシートを挿入することで、臓器の昇温を抑える技術を提案した。特許文献１のシートは、断熱層と、断熱層の両面に面接着された２枚の防水層とを有する。
【先行技術文献】
【特許文献】
【０００５】
【特許文献１】特開２０１８−０００３０９号公報
【発明の概要】
【発明が解決しようとする課題】
【０００６】
しかしながら、特許文献１のシートは、臓器を完全に覆うものではない。このため、臓器の表面のうち、シートに覆われていない部分は、昇温してしまうという問題があった。また、レシピエントと臓器との間に挿入されたシートの端部が、執刀者の作業の妨げとなるおそれもあった。
【０００７】
本発明は、このような事情に鑑みなされたものであり、レシピエントへの臓器の移植時に、臓器の温度上昇をより抑制でき、かつ、執刀者の作業の妨げにもなりにくい医療器具および移植方法を提供することを目的とする。
【課題を解決するための手段】
【０００８】
本願の第１発明は、臓器を収容する臓器収容袋であって、臓器が通過可能な開口部と、前記開口部を介して挿入された臓器を保持する袋状の断熱シートと、を備え、前記断熱シートは、一対の防水層と、前記一対の防水層の間に位置する断熱層と、を有する。
【０００９】
本願の第２発明は、第１発明の臓器収容袋であって、前記開口部を少なくとも部分的に開閉する開閉部材をさらに備える。
【００１０】
本願の第３発明は、第２発明の臓器収容袋であって、前記開閉部材は、前記開口部を収縮させる操作紐である。
【００１１】
本願の第４発明は、第２発明の臓器収容袋であって、前記開閉部材は、前記開口部に設けられた伸縮可能な弾性部材である。
【００１２】
本願の第５発明は、第２発明の臓器収容袋であって、前記開閉部材は、互いに固定および離間が可能な一対の留め具を有する。
【００１３】
本願の第６発明は、第１発明から第５発明までのいずれか１発明の臓器収容袋であって、前記断熱層は、発泡ポリエチレン、発泡ポリスチレン、軟質ウレタンフォーム、ポリスチレン、または不織布からなり、前記防水層は、ポリフッ化ビニリデン、シリコン樹脂、ポリウレタン、フッ素樹脂、フッ素ゴム、ウレタンゴム、塩化ビニル、ナイロン、ポリエチレン、またはポリウレタンエラストマーからなる。
【００１４】
本願の第７発明は、第１発明から第６発明までのいずれか１発明の臓器収容袋であって、前記断熱シートの内側に設けられた防水性の内袋をさらに備える。
【００１５】
本願の第８発明は、第１発明から第６発明までのいずれか１発明の臓器収容袋であって、前記断熱シートの外側に設けられた防水性の外袋をさらに備える。
【００１６】
本願の第９発明は、非ヒト動物であるドナーから摘出された臓器を、非ヒト動物であるレシピエントへ移植する移植方法であって、ａ）袋状の断熱シートを有する臓器収容袋に前記臓器を収容する工程と、ｂ）前記工程ａ）の後に、前記臓器が収容された前記臓器収容袋を、前記レシピエントの体腔内に配置する工程と、ｃ）前記工程ｂ）の後に、前記レシピエントの血管と、前記臓器の血管とを吻合する工程と、ｄ）前記工程ｃ）の後に、前記臓器収容袋から前記臓器を取り出して、前記臓器収容袋を除去する工程と、を有する。
【００１７】
本願の第１０発明は、第９発明の移植方法であって、前記断熱シートは、一対の防水層と、前記一対の防水層の間に位置する断熱層と、を有する。
【発明の効果】
【００１８】
本願の第１発明〜第１０発明によれば、レシピエントの体腔内に臓器を配置するときに、臓器収容袋に臓器を収容することによって、臓器の表面の全体を、断熱シートで覆うことができる。これにより、レシピエントの体温や外気温により臓器の温度が上昇することを抑制しつつ、血管の吻合を行うことができる。その結果、臓器が温虚血状態となることを抑制して、手術後における障害の発生を抑制できる。また、断熱シートは袋状とされているため、断熱シートの端部が、執刀者の作業の妨げとなりにくい。
【００１９】
特に、本願の第２発明によれば、開口部を閉じることにより、臓器収容袋から臓器が脱落することを防止できる。
【００２０】
特に、本願の第４発明によれば、開口部を容易に開閉できる。また、開閉動作により臓器を傷つけるおそれが小さい。
【００２１】
特に、本願の第５発明によれば、開口部を容易に開閉できる。また、開閉動作により臓器を傷つけるおそれが小さい。
【００２２】
特に、本願の第７発明によれば、内袋内に、臓器とともに低温の保存液を入れることができる。これにより、臓器の温度が上昇することを、より抑制できる。
【図面の簡単な説明】
【００２３】
【図１】第１実施形態に係る臓器収容袋の外観図である。
【図２】断熱シートの部分断面図である。
【図３】移植手術において執刀者が行う作業の流れを示したフローチャートである。
【図４】第２実施形態に係る臓器収容袋の外観図である。
【図５】第３実施形態に係る臓器収容袋の外観図である。
【図６】第４実施形態に係る臓器収容袋の外観図である。
【図７】第５実施形態に係る臓器収容袋の展開図である。
【図８】第６実施形態に係る臓器収容袋の展開図である。
【図９】第７実施形態に係る臓器収容袋の外観図である。
【図１０】第８実施形態に係る臓器収容袋の外観図である。
【図１１】腎臓を低温保存した後、疑似腹腔内に置いたときの温度変化を示したグラフである。
【発明を実施するための形態】
【００２４】
以下、本発明の実施形態について、図面を参照しつつ説明する。
【００２５】
本願において「ドナー」および「レシピエント」は、ヒトであってもよいし、非ヒト動物であってもよい。すなわち、本願において、「臓器」は、ヒトの臓器であってもよいし、非ヒト動物の臓器であってもよい。また、非ヒト動物は、マウスおよびラットを含む齧歯類、ブタ、ヤギおよびヒツジを含む有蹄類、チンパンジーを含む非ヒト霊長類、その他の非ヒトほ乳動物であってもよいし、ほ乳動物以外の動物であってもよい。
【００２６】
＜１．第１実施形態＞
＜１−１．臓器収容袋について＞
図１は、第１実施形態に係る臓器収容袋１の外観図である。この臓器収容袋１は、ドナーから摘出された臓器９をレシピエントへ移植する移植手術において、臓器９を一時的に収容するための容器である。すなわち、臓器収容袋１は、臓器９の移植手術に使用されることを目的とした医療器具である。
【００２７】
臓器収容袋１に収容される臓器９としては、例えば、腎臓、心臓、肺、脾臓を挙げることができる。これらの臓器９は、移植手術において吻合すべき血管９１が、臓器９の片側に集中している。本実施形態の臓器収容袋１の構造は、これらの臓器９に対して特に好適である。しかしながら、本発明の臓器収容袋は、肝臓等の他の臓器を収容するものであってもよい。
【００２８】
図１に示すように、臓器収容袋１は、臓器９を保持する袋状の断熱シート１０を有する。臓器収容袋１は、２枚以上の断熱シート１０を縫合、接着、または溶着することによって袋状に構成されたものであってもよく、あるいは、１枚のシームレスな断熱シート１０により構成されるものであってもよい。臓器収容袋１のサイズは、臓器９の挿入および取り出しが容易で、かつ、内部において臓器９が容易に移動しないように、対象となる臓器９よりもやや大きいサイズとされる。臓器収容袋１の底部または側部には、マチが設けられていてもよい。
【００２９】
また、臓器収容袋１は、開口部２０と、開口部２０を開閉するための操作紐３０とを有する。開口部２０は、開放状態において、臓器９が通過可能な大きさを有する。操作紐３０は、伸縮性のない紐であってもよく、ゴム等の弾性材料からなる伸縮可能な紐であってもよい。操作紐３０は、開口部２０の縁に沿って設けられた環状の挿通孔２１に通されている。操作紐３０を引くと、巾着袋のように、臓器収容袋１の開口部２０が収縮する。これにより、開口部２０が閉鎖される。すなわち、本実施形態では、操作紐３０が、開口部２０を開閉するための開閉部材となる。なお、操作紐３０は、一端のみを引くことにより開口部２０を収縮させるものであってもよく、両端を引くことにより開口部２０を収縮させるものであってもよい。
【００３０】
図２は、断熱シート１０の部分断面図である。図２に示すように、断熱シート１０は、    一対の防水層１２と、一対の防水層１２の間に位置する断熱層１１と、を有する。一対の防水層１２は、断熱層１１の両面に、例えば、接着や融着によって面固定される。これにより、断熱層１１の両面が、防水層１２に覆われる。高い断熱性を得るために、断熱層１１の厚みは、防水層１２の厚みよりも大きいことが好ましい。
【００３１】
断熱層１１には、柔軟に変形可能であり、かつ、断熱性を有する多孔質材または布帛が用いられる。具体的には、断熱層１１として、発泡ポリエチレン、発泡ポリスチレン、軟質ウレタンフォーム、ポリスチレン、または不織布を用いることができる。なお、断熱層１１は、一層で構成されていてもよく、複数層で構成されていてもよい。複数層で構成される場合、複数層の全体が、本発明における「断熱層」となる。
【００３２】
防水層１２には、柔軟に変形可能であり、防水性を有し、かつ、生体適合性および滅菌保持性を有するフィルムが用いられる。具体的には、防水層１２として、ポリフッ化ビニリデン、シリコン樹脂、ポリウレタン、フッ素樹脂、フッ素ゴム、ウレタンゴム、塩化ビニル、ナイロン、ポリエチレン、またはポリウレタンエラストマーを用いることができる。
【００３３】
また、防水層１２は、ファンデルワールス力、静電的結合、または減圧吸着の作用により、臓器９に密着する性能を有していることが好ましい。防水層１２が臓器９に密着すれば、臓器収容袋１の内部における臓器９の移動が抑制される。したがって、臓器９の損傷を抑制できるとともに、後述する臓器９の温度上昇を抑制する効果を、より高めることができる。
【００３４】
＜１−２．臓器移植の流れについて＞
続いて、上記の臓器収容袋１を用いた移植手術の流れについて、説明する。図３は、移植手術において、執刀者が行う作業の流れを示したフローチャートである。
【００３５】
移植手術を行うときには、まず、ドナーから臓器９を摘出する（ステップＳ１）。具体的には、ドナーの臓器９から延びる血管を切断し、ドナーの体腔内から臓器９を取り出す。取り出された臓器９は、低温の保存液に浸漬された状態で、保存される（ステップＳ２）。保存液には、例えば、４℃に維持された生理食塩水が用いられる。臓器９は、常温のまま血流が途絶える、いわゆる温虚血状態になると、臓器９内の代謝によって、劣化が生じやすくなる。このため、ステップＳ２では、臓器９を常温より低い温度で保存することにより、臓器９の劣化を抑制する。
【００３６】
なお、ステップＳ２では、臓器９の血管９１に配管を接続し、臓器９内に保存液を灌流させた状態で、臓器９を保存してもよい。なお、保存液の灌流は、後述するステップＳ５まで、継続してもよい。
【００３７】
続いて、低温保存された臓器９を、臓器収容袋１に収容する（ステップＳ３）。具体的には、臓器収容袋１の開口部２０を開き、開口部２０を介して、袋状の断熱シート１０の内部へ、臓器９を挿入する。これにより、袋状の断熱シート１０の内部に、臓器９が保持される。その後、操作紐３０を引いて、臓器収容袋１の開口部２０を閉鎖する。これにより、臓器収容袋１から臓器９が脱落することを防止する。ただし、後述するステップＳ５において、レシピエントの血管と吻合すべき臓器９の血管９１のみは、開口部２０から外部へ露出した状態としておく。
【００３８】
続いて、レシピエントの腹部を開き、臓器９が収容された臓器収容袋１を、レシピエントの体腔内に配置する（ステップＳ４）。そして、レシピエントの血管と、臓器収容袋１の開口部２０から外部へ露出した臓器９の血管９１とを、吻合する（ステップＳ５）。その後、臓器収容袋１の開口部２０を開き、血管吻合後の臓器９を、臓器収容袋１から取り出す。そして、レシピエントの体腔内から臓器収容袋１を除去する（ステップＳ６）。
【００３９】
ステップＳ４〜Ｓ５の作業の間、臓器９の内部には、まだ血液が流れていない。しかしながら、臓器収容袋１に収容された臓器９は、断熱シート１０に覆われているため、外部の温度の影響を受けにくい。このため、レシピエントの体温または外気温により、臓器９の温度が上昇することが、抑制される。したがって、臓器９が温虚血状態となって、代謝による劣化が進むことを抑制できる。その結果、手術後における障害の発生を抑制できる。
【００４０】
特に、この臓器収容袋１は、臓器９の表面の全体を覆う。このため、臓器９の表面の一部分のみを覆う場合よりも、臓器９の昇温を抑制する効果が大きい。また、手術中における臓器９の損傷も抑制できる。また、断熱シート１０は袋状とされているため、断熱シート１０の端部が、執刀者の作業の妨げとなりにくい。
【００４１】
また、本実施形態では、操作紐３０を引くことによって、臓器収容袋１の開口部２０を収縮させる。この構造により、執刀者は、開口部２０を容易に開閉できる。また、開閉動作により臓器９を傷つけてしまうおそれも小さい。
【００４２】
＜２．第２実施形態＞
続いて、本発明の他の実施形態について、説明する。なお、以下の第２実施形態〜第８実施形態では、上記の第１実施形態との相違点を中心に説明し、第１実施形態と同等の点については、重複説明を省略する。
【００４３】
図４は、第２実施形態に係る臓器収容袋１の外観図である。本実施形態の臓器収容袋１は、開口部２０を開閉する開閉部材の構造が、上記の第１実施形態と相違する。
【００４４】
図４中に破線で示したように、第２実施形態の臓器収容袋１は、開閉部材としての弾性部材４０を有する。弾性部材４０は、臓器収容袋１の開口部２０の縁に沿って設けられた環状の挿通孔に通されている。弾性部材４０には、例えば、弾性伸縮可能な天然ゴムまたは合成ゴムが用いられる。外力が作用していないときには、弾性部材４０により、開口部２０が収縮した状態に維持される。ただし、移植手術の執刀者は、弾性部材４０を引き伸ばすことにより、開口部２０を開くことが可能である。そして、開いた開口部２０を介して、臓器収容袋１の内部へ臓器９を挿入したり、臓器収容袋１から臓器９を取り出したりすることができる。
【００４５】
本実施形態の臓器収容袋１も、図３と同様の手順で行う移植手術において、用いることができる。そして、図３のステップＳ４〜Ｓ５において、臓器９の表面の全体を断熱シート１０で覆うことによって、臓器９の温度上昇を抑制できるとともに、臓器９の損傷も抑制できる。また、断熱シート１０が袋状とされているため、断熱シート１０の端部が、執刀者の作業の妨げとなりにくい。
【００４６】
特に、本実施形態の構造では、臓器収容袋１へ臓器９を挿入した後、弾性部材４０の収縮力によって、臓器収容袋１の開口部２０が自動的に閉鎖する。このため、第１実施形態のように、開口部２０を閉じるために操作紐３０を引く必要がない。したがって、移植手術の作業を、より迅速に行うことができる。また、第１実施形態と同様に、開口部２０の開閉動作によって、臓器９を傷つけてしまうおそれも小さい。
【００４７】
なお、弾性部材４０は、開口部２０の周囲に環状に設けられていてもよく、あるいは、開口部２０の周囲に部分的に設けられていてもよい。
【００４８】
＜３．第３実施形態＞
図５は、第３実施形態に係る臓器収容袋１の外観図である。本実施形態の臓器収容袋１は、開口部２０を開閉する開閉部材の構造が、上記の第１実施形態と相違する。
【００４９】
図５に示すように、第３実施形態の臓器収容袋１は、開閉部材としての線ファスナー５０を有する。線ファスナー５０は、開口部２０に設けられた一対の務歯列（留め具）５１と、スライダ５２とを有する。スライダ５２を務歯列５１に沿って一方側へ移動させると、一対の務歯列５１が互いに係合して、務歯列５１同士が固定される。これにより、開口部２０が閉鎖状態となる。また、スライダ５２を務歯列５１に沿って他方側へ移動させると、一対の務歯列５１の係合が解けて、開口部２０が開放される。
【００５０】
本実施形態の臓器収容袋１も、図３と同様の手順で行う移植手術において、用いることができる。そして、図３のステップＳ４〜Ｓ５において、臓器９の表面の全体を断熱シート１０で覆うことによって、臓器９の温度上昇を抑制できるとともに、臓器９の損傷も抑制できる。また、断熱シート１０が袋状とされているため、断熱シート１０の端部が、執刀者の作業の妨げとなりにくい。
【００５１】
＜４．第４実施形態＞
図６は、第４実施形態に係る臓器収容袋１の外観図である。本実施形態の臓器収容袋１は、開口部２０を開閉する開閉部材の構造が、上記の第１実施形態と相違する。
【００５２】
図６に示すように、第４実施形態の臓器収容袋１は、開閉部材としてのジッパー６０を有する。ジッパー６０は、開口部２０に設けられた一対のジップ部材（留め具）６１を有する。一対のジップ部材６１は、互いに嵌合する微小な凹凸部６２を有する。一対のジップ部材６１を接触させて圧力を加えると、一方のジップ部材６１の凹凸部６２と、他方のジップ部材６１の凹凸部６２とが弾性嵌合して、ジップ部材６１同士が固定される。これにより、開口部２０が閉鎖状態となる。また、一対のジップ部材６１を互いに引き離すと、凹凸部６２の嵌合が解けて、開口部２０が開放される。
【００５３】
本実施形態の臓器収容袋１も、図３と同様の手順で行う移植手術において、用いることができる。そして、図３のステップＳ４〜Ｓ５において、臓器９の表面の全体を断熱シート１０で覆うことによって、臓器９の温度上昇を抑制できるとともに、臓器９の損傷も抑制できる。また、断熱シート１０が袋状とされているため、断熱シート１０の端部が、執刀者の作業の妨げとなりにくい。
【００５４】
＜５．第５実施形態＞
図７は、第５実施形態に係る臓器収容袋１の展開図である。本実施形態の臓器収容袋１は、断熱シート１０の形状および開閉部材の構造が、上記の第１実施形態と相違する。
【００５５】
図７に示すように、第５実施形態の臓器収容袋１は、１枚の平らな断熱シート１０を折ることによって、袋状に形成される。断熱シート１０は、折目線１３を対象軸として線対象な第１片１４および第２片１５を有する。また、本実施形態の臓器収容袋１は、開閉部材としての面ファスナー７０を有する。面ファスナー７０は、第１片１４および第２片１５に設けられた複数の係合部材（留め具）７１を有する。断熱シート１０を折目線１３で折ると、第１片１４の係合部材７１と、第２片１５の係合部材７１とが接触する。
【００５６】
すなわち、この臓器収容袋１は、断熱シート１０を折目線１３で折ったときに、互いに接触する一対の係合部材７１を、複数組有する。互いに接触する一対の係合部材７１の一方は、多数の微細なフックを有する。また、互いに接触する一対の係合部材７１の他方は、フックが係合可能な多数の微細なループを有する。このため、一対の係合部材７１が接触すると、フックとループとの係合によって、２つの係合部材７１が互いに固定される。これにより、断熱シート１０が袋状に維持されるとともに、開口部２０が部分的に閉鎖される。また、一対の係合部材７１を互いに引き離すと、両部材の係合が解けて、開口部２０が開放される。
【００５７】
本実施形態の臓器収容袋１も、図３と同様の手順で行う移植手術において、用いることができる。そして、図３のステップＳ４〜Ｓ５において、臓器９の表面の全体を断熱シート１０で覆うことによって、臓器９の温度上昇を抑制できるとともに、臓器９の損傷も抑制できる。また、断熱シート１０が袋状とされているため、断熱シート１０の端部が、執刀者の作業の妨げとなりにくい。
【００５８】
特に、本実施形態の構造では、断熱シート１０が平らな状態となるまで、開口部２０を大きく開くことができる。このため、臓器収容袋１への臓器９の挿入および臓器収容袋１からの臓器９の取り出しの作業を行いやすい。また、臓器収容袋１への臓器９の挿入および臓器収容袋１からの臓器９の取り出しの際に、臓器９を傷つけてしまうおそれも小さい。
【００５９】
＜６．第６実施形態＞
図８は、第６実施形態に係る臓器収容袋１の外観図である。本実施形態の臓器収容袋１は、断熱シート１０の形状および開閉部材の構造が、上記の第１実施形態と相違する。
【００６０】
図８に示すように、第６実施形態の臓器収容袋１は、１枚の平らな断熱シート１０を折ることによって、袋状に形成される。断熱シート１０は、折目線１３を対象軸として線対象な第１片１４および第２片１５を有する。また、本実施形態の臓器収容袋１は、開閉部材としてのスナップボタン８０を有する。スナップボタン８０は、第１片１４および第２片１５に設けられた複数のボタン（留め具）８１を有する。断熱シート１０を折目線１３で折ると、第１片１４のボタン８１と、第２片１５のボタン８１とが接触する。
【００６１】
すなわち、この臓器収容袋１は、断熱シート１０を折目線１３で折ったときに、互いに接触する一対のボタン８１を、複数組有する。互いに接触する一対のボタン８１の一方は、凸部を有する雄ボタンである。また、互いに接触する一対のボタン８１の他方は、凹部を有する雌ボタンである。このため、一対のボタン８１を接触させて圧力を加えると、凸部と凹部との嵌合によって、２つのボタン８１が互いに固定される。これにより、断熱シート１０が袋状に維持されるとともに、開口部２０が部分的に閉鎖される。また、一対のボタン８１を互いに引き離すと、これらのボタン８１の嵌合が解けて、開口部２０が開放される。
【００６２】
本実施形態の臓器収容袋１も、図３と同様の手順で行う移植手術において、用いることができる。そして、図３のステップＳ４〜Ｓ５において、臓器９の表面の全体を断熱シート１０で覆うことによって、臓器９の温度上昇を抑制できるとともに、臓器９の損傷も抑制できる。また、断熱シート１０が袋状とされているため、断熱シート１０の端部が、執刀者の作業の妨げとなりにくい。
【００６３】
特に、本実施形態の構造では、断熱シート１０が平らな状態となるまで、開口部２０を大きく開くことができる。このため、臓器収容袋１への臓器９の挿入および臓器収容袋１からの臓器９の取り出しの作業を行いやすい。また、臓器収容袋１への臓器９の挿入および臓器収容袋１からの臓器９の取り出しの際に、臓器９を傷つけてしまうおそれも小さい。
【００６４】
＜７．第７実施形態＞
図９は、第７実施形態に係る臓器収容袋１の外観図である。本実施形態の臓器収容袋１は、開口部２０を開閉する開閉部材を有していない点が、上記の第１実施形態と相違する。
【００６５】
本実施形態のように、臓器収容袋１自体に開閉部材が設けられていなくても、別体のクリップやテープなどの固定部材を用いることによって、臓器収容袋１の開口部２０を閉じることができる。また、当該固定部材を取り外すことによって、臓器収容袋１の開口部２０を開くことができる。
【００６６】
本実施形態の臓器収容袋１も、図３と同様の手順で行う移植手術において、用いることができる。そして、図３のステップＳ４〜Ｓ５において、臓器９の表面の全体を断熱シート１０で覆うことによって、臓器９の温度上昇を抑制できるとともに、臓器９の損傷も抑制できる。また、断熱シート１０が袋状とされているため、断熱シート１０の端部が、執刀者の作業の妨げとなりにくい。
【００６７】
＜８．第８実施形態＞
図１０は、第８実施形態に係る臓器収容袋１の外観図である。本実施形態の臓器収容袋１は、袋状の断熱シート１０の内側に、防水性の内袋９０を有する点が、上記の第１実施形態と相違する。
【００６８】
内袋９０には、柔軟に変形可能であり、防水性を有し、かつ、生体適合性および滅菌保持性を有する材料が用いられる。具体的には、内袋９０の材料として、ポリフッ化ビニリデン、シリコン樹脂、ポリウレタン、フッ素樹脂、フッ素ゴム、ウレタンゴム、塩化ビニル、ナイロン、ポリエチレン、またはポリウレタンエラストマーを用いることができる。また、内袋９０は、１枚のシームレスなフィルムにより形成され、液体を内部に保持することができる。
【００６９】
複数の断熱シート１０が縫合されて袋状となっている場合には、縫合部を完全に密閉することが難しい。しかしながら、図１０のように防水性の内袋９０を設ければ、内袋９０の内部は密閉空間とすることができる。
【００７０】
本実施形態の臓器収容袋１も、図３と同様の手順で行う移植手術において、用いることができる。特に、本実施形態では、内袋９０の内部に、臓器９とともに低温の保存液を入れることができる。また、図３のステップＳ５の途中で、内袋９０の内部に、低温の保存液を追加で流し込むこともできる。これにより、臓器９の温度上昇をより抑制できる。
【００７１】
なお、上記の第５実施形態や第６実施形態の構造において、内袋９０を設ける場合、断熱シート１０の第１片１４の内側の面と第２片１５の内側の面とに、それぞれ内袋９０を固定してもよい。また、第１片１４側の内袋９０と、第２片１４側の内袋９０とは、折目線１３付近で繋がっていてもよい。
【００７２】
また、臓器収容袋１は、袋状の断熱シート１０の外側に、防水性の外袋を有していてもよい。外袋には、上記の内袋９０と同様の材料を用いることができる。外袋は、袋状の断熱シート１０に対して接着・溶着等により固定されていてもよく、あるいは、断熱シート１０と別体であってもよい。断熱シート１０と別体であれば、上記の第１実施形態〜第４実施形態および第７実施形態の構造だけではなく、第５実施形態および第６実施形態にも、外袋を適用することができる。
【００７３】
＜９．実験例＞
図１１は、ブタから摘出した腎臓を、４℃の保存液で２４時間保存した後に、３７℃の環境（疑似腹腔内）に置いたときの、腎臓の温度変化の様子を示したグラフである。グラフ中の折れ線Ｃ１は、臓器収容袋に収容しない場合（ケース１）の腎臓の温度変化を示している。また、グラフ中の折れ線Ｃ２は、臓器収容袋に収容した場合（ケース２）の腎臓の温度変化を示している。実験は、ケース１とケース２とで、それぞれ２回ずつ行った。図１１の折れ線Ｃ１，Ｃ２は、それぞれ、２回の結果の平均値を示している。
【００７４】
図１１の結果より、臓器収容袋に収容された腎臓は、臓器収容袋に収容されない腎臓よりも、疑似腹腔内における温度上昇が抑えられている。したがって、臓器収容袋を用いることにより、移植手術時における臓器の温度上昇を抑制できることが分かる。特に、血管吻合の平均的な所要時間は３０分程度であるが、図１１の結果によると、疑似腹腔内において３０分が経過した時点で、ケース１では、腎臓の温度が３５°となっているのに対し、ケース２では、腎臓の温度が３０°に抑えられている。この５°の温度差は、腎臓内の代謝の進行に大きな影響を及ぼす。すなわち、臓器収容袋を用いることにより、臓器内の代謝の進行を大幅に抑えることができると言える。
【００７５】
なお、図１１の実験では、上記の第７実施形態のような、開閉部材の無い臓器収容袋を用いた。開閉部材を有する臓器収容袋を用いた場合には、より腎臓の温度上昇を抑制できると考えられる。
【００７６】
＜１０．変形例＞
以上、本発明の主たる実施形態について説明したが、本発明は上記の実施形態に限定されるものではない。
【００７７】
例えば、断熱シート１０の断熱効果をより高めるために、断熱層１１と防水層１２との間に、他の層を設けてもよい。他の層としては、例えば、金属膜が蒸着されたフィルムを用いることができる。具体的には、アルミニウムを蒸着したポリエチレンシートを用いることができる。このようにすれば、レシピエントの体から臓器９へ向かう近赤外線などの放射線が、金属膜によって反射される。したがって、臓器収容袋１に収容された臓器９の温度が上昇することを、より抑制できる。
【００７８】
また、断熱シート１０の防水層１２に、温度によって色が変化する示温部材を用いてもよい。例えば、上記の実施形態出示した生体適合性を有する材料に、温度に応じて変色する化合物を混合することにより、示温部材を形成することができる。示温部材を用いれば、その色によって、臓器９の温度を推定することができる。したがって、臓器９の温度上昇に応じた対処を行うことができる。
【００７９】
また、臓器収容袋の細部の構造については、本願の各図に示された構造と、完全に一致していなくてもよい。また、上記の第１実施形態〜第８実施形態および変形例に登場した各要素を、矛盾が生じない範囲で、適宜に組み合わせてもよい。
【符号の説明】
【００８０】
１  臓器収容袋
９  臓器
１０  断熱シート
１１  断熱層
１２  防水層
１３  折目線
１４  第１片
１５  第２片
２０  開口部
２１  挿通孔
３０  操作紐
４０  弾性部材
５０  線ファスナー
５１  務歯列
５２  スライダ
６０  ジッパー
６１  ジップ部材
６２  凹凸部
７０  面ファスナー
７１  係合部材
８０  スナップボタン
８１  ボタン
９０  内袋
９１  血管
【図１】
2020044287.tif 000003
【図２】
2020044287.tif 000004
【図３】
2020044287.tif 000005
【図４】
2020044287.tif 000006
【図５】
2020044287.tif 000007
【図６】
2020044287.tif 000008
【図７】
2020044287.tif 000009
【図８】
2020044287.tif 000010
【図９】
2020044287.tif 000011
【図１０】
2020044287.tif 000012
【図１１】
2020044287.tif 000013